(57)【要約】  コンパクト化と造水量の安定化を両立できる造水装置を提供する。  本発明の造水装置（１）は、水蒸気を吸着または脱着しつつ空気を透過する着脱フィルター（２）と、着脱フィルターを収容すると共に着脱フィルターへ水蒸気を吸着させる第一区画（３８）と着脱フィルターから水蒸気を脱着させる第二区画（３９）とを有するフィルターケース（３１）と、着脱フィルターを連続的または断続的に移動させる電動機と、大気中から水蒸気を含む原料空気を第一流路（Ｘ）を介して取り込む第一電動ファン（３）と、第二区画の下流側から上流側へ帰還する第二流路を介して作動空気を流動させる第二電動ファン（４）と、第二区画へ流入する作動空気を加熱する電熱ヒータ（５）と、第二区画から流出した作動空気を第一流路を通過する空気により冷却して凝縮水を得るコンデンサ（６）と、凝縮水を貯水する貯水タンク（２６）とを備える。
2018025770.tif 000002
【特許請求の範囲】
【請求項１】
水蒸気を吸着または脱着しつつ空気を透過する着脱フィルターと、
該着脱フィルターを収容すると共に該着脱フィルターへ空気を誘導して、該着脱フィルターへ水蒸気を吸着させる第一区画と該着脱フィルターから水蒸気を脱着させる第二区画とを有するフィルターケースと、
該第一区画と該第二区画との間で該着脱フィルターを連続的または断続的に移動させる電動機と、
大気中に開口している吸気口から該第一区画を経て大気中へ開口している排気口まで連なる第一流路と、
該第一流路内の空気を流動させる第一電動ファンと、
該第二区画の下流側から上流側へ帰還する第二流路と、
該第二流路内の作動空気を流動させる第二電動ファンと、
該第二区画へ流入する作動空気を加熱する電熱ヒータと、
該第二区画から流出した作動空気を該第一流路を通過する空気により冷却して凝縮水を得るコンデンサと、
該凝縮水を貯水する貯水タンクと、
を備える造水装置。
【請求項２】
前記第二区画と前記コンデンサの中間に配設され、該第二区画から流出した作動空気で該コンデンサから流出した作動空気を加温する熱交換器を備える請求項１に記載の造水装置。
【請求項３】
ソーラー発電装置および／または蓄電池を備える請求項１または２に記載の造水装置。
【請求項４】
前記貯水タンクの貯水を取水または止水するコックを備える請求項１〜３のいずれかに記載の造水装置。
【請求項５】
前記貯水タンクの貯水に含まれる菌または不純物を除去する浄水フィルターを備える請求項１〜４のいずれかに記載の造水装置。
【請求項６】
前記貯水タンクの貯水は飲料用に供される請求項１〜５のいずれかに記載の造水装置。
【請求項７】
造水モードの終了後に乾燥モードを行う請求項１〜６のいずれかに記載の造水装置。
【請求項８】
前記乾燥モードは、前記電熱ヒータを作動させず、少なくとも前記第一電動ファンと前記第二電動ファンを作動させてなされる請求項７に記載の造水装置。
【請求項９】
さらに、空気中に含まれる塵埃、粒子、細菌またはウイルスを捕集する空気清浄フィルターを備える請求項１〜８のいずれかに記載の造水装置。
【請求項１０】
前記空気清浄フィルターは、前記着脱フィルターの上流側に配設される請求項９に記載の造水装置。
【請求項１１】
前記空気清浄フィルターは、多層フィルターである請求項９または１０に記載の造水装置。
【請求項１２】
水源と、
該水源からの導水を注水する注水器とを備え、
前記水源は請求項１〜１１のいずれかに記載した造水装置からなるウォーターサーバー。
【請求項１３】
前記導水を冷却および／または加熱する水温調整器を備える請求項１２に記載のウォーターサーバー。
【発明の詳細な説明】
【技術分野】
【０００１】
本発明は、大気中の空気を原料として水を得ることができ、特に、家庭内等への設置が容易で、かつ飲料水等に適した水を安定して得ることができる造水装置等に関する。
【背景技術】
【０００２】
生物の生存に水は不可欠であるが、水（特に飲料水に適した水）の安定供給が可能な地域は限られる。砂漠等の乾燥地帯は勿論、一見、水が豊富にあるような地域や国であっても、飲料水に適した水の入手が困難な場所も多い。例えば、衛生環境が悪かったり河川が汚染されている地域、上水道が完備されていない離島等である。【０００３】
このような場所で、飲料水に適した水を得る方策として、汚水等の再生、海水の淡水化等がある。しかし、そのような処理は、大型の設備等が必要となり、導入が容易ではない。また、そもそも原料となる水（液体）が必要となるため、導入可能な地域も限定的である。【０００４】
そこで、大気中に存在する水蒸気から水（液体）を得ることが提案されており、例えば、下記の特許文献に関連した記載がある。
【先行技術文献】
【特許文献】
【０００５】
【特許文献１】特公昭６２−２１５６６号公報
【特許文献２】特許第４２７１７０５号公報
【発明の概要】
【発明が解決しようとする課題】
【０００６】
特許文献１も特許文献２も、空気中の水蒸気を吸着させた吸着剤へ加熱空気を通過させ、得られた湿り空気を冷却して造水している。特許文献１では、吸着剤へ導入される空気の流路と吸着剤から導出された湿り空気の冷却流路とを分離した造水装置を提案している。特許文献２では、水蒸気を吸着させた吸着剤へ導入する空気の加熱や、各流路内にある空気の送気を太陽熱により行い、電力供給なしで作動可能な造水装置を提案している。【０００７】
特許文献１のような造水装置は、大型であり、一般家庭等へ普及させ難い。また特許文献２のような造水装置は、日々の生活に不可欠な水の生成量が、気候変動の影響を受け易くなって好ましくない。【０００８】
本発明はこのような事情に鑑みて為されたものであり、コンパクト化と造水量の安定化とを両立でき、家庭内等にも導入し易い造水装置等を提供することを目的とする。
【課題を解決するための手段】
【０００９】
本発明者はこの課題を解決すべく鋭意研究した結果、吸着剤の移動、空気の送気および加熱を電力で行うと共に、吸着剤から流出した湿り空気の冷却構造を工夫することにより、コンパクト化と造水量の安定化を図れる造水装置を新たに開発した。この成果を発展させることにより、以降に述べる本発明を完成するに至った。【００１０】
《造水装置》
（１）本発明の造水装置は、水蒸気を吸着または脱着しつつ空気を透過する着脱フィルターと、該着脱フィルターを収容すると共に該着脱フィルターへ空気を誘導して、該着脱フィルターへ水蒸気を吸着させる第一区画と該着脱フィルターから水蒸気を脱着させる第二区画とを有するフィルターケースと、該第一区画と該第二区画との間で該着脱フィルターを連続的または断続的に移動させる電動機と、大気中に開口している吸気口から該第一区画を経て大気中へ開口している排気口まで連なる第一流路と、該第一流路内の空気を流動させる第一電動ファンと、該第二区画の下流側から上流側へ帰還する第二流路と、該第二流路内の作動空気を流動させる第二電動ファンと、該第二区画へ流入する作動空気を加熱する電熱ヒータと、該第二区画から流出した作動空気を該第一流路を通過する空気により冷却して凝縮水を得るコンデンサと、該凝縮水を貯水する貯水タンクと、を備える。【００１１】
（２）本発明の造水装置によれば、先ず、着脱フィルターの駆動、原料となる空気の吸排気、作動空気の加熱と流動を電力を用いて行っている。このため、商用電源や蓄電池等から電力供給が可能である限り、本発明の造水装置は作動し続け、安定した造水量の確保が可能となる。【００１２】
次に、本発明の造水装置では、水蒸気を吸着した着脱フィルターへ加熱した作動空気を透過させて得られる空気（「湿空気」という。）を冷却して凝縮水を得る際に、着脱フィルターへ水蒸気を吸着させるために取り込まれる空気（「原料空気」という。）を利用している。これにより、装置全体としてのコンパクト化が図れ、また、コンデンサ専用の電動ファン等も不要であるため、装置の簡素化や消費電力の抑制も図れる。【００１３】
《ウォーターサーバー》
本発明は上述した造水装置を利用したウォーターサーバーとしても把握できる。すなわち本発明は、水源と、該水源からの導水を注水する注水器とを備え、前記水源は上述した造水装置からなるウォーターサーバーでもよい。【００１４】
本発明のウォーターサーバーは、造水装置（その貯水タンク）から供給される導水を、冷却および／または加熱する水温調整器を備えると好適である。冷却は、例えば、電子冷却器（例えばペルチェ素子）による吸熱（熱移動）等を利用して行える。加熱は、例えば、電熱やペルチェ素子による放熱（熱移動）等を利用して行える。こうして装置全体のコンパクト化等を図りつつ、造水装置で得られた凝縮水を冷水および／または温水として供給できる。水温調整器は、そのような加熱器（ヒータ）と冷却器（クーラ）の少なくとも一方を備えればよいが、両者間の熱移動を利用して水温調整器の熱効率を高めることもできる。注水器は、例えば、温水および／または冷水をコップ等に注ぐ際に用いる注水コック（レバー、ダイヤル）等である。
【図面の簡単な説明】
【００１５】
【図１】本発明の一実施例である造水装置の回路構成図である。
【図２】その造水装置を前方から見た分解斜視図である。
【図３】その造水装置に内蔵されている本体の分解斜視図である。
【図４】その本体を後方から見た分解斜視図である。
【図５】その本体に内蔵されているフィルターケースの正面図である。
【図６】整流板を設けた変形例を示すフィルターケースの正面図である。
【図７】空気清浄フィルターを設けた変形例を示すＡ−Ａ断面図である。
【図８】ウォーターサーバーの回路構成図である。
【発明を実施するための形態】
【００１６】
本明細書中から任意に選択した一つまたは二つ以上の構成要素を、上述した本発明の構成要素に付加し得る。方法的な構成要素であっても、一定要件下で本発明の造水装置に関する構成要素となり得る。いずれの実施形態が最良であるか否かは、要求性能、用途等により異なる。
【００１７】
（１）熱交換器
本発明の造水装置は、フィルターケースの第二区画とコンデンサの中間に配設され、第二区画から流出した作動空気（高温な湿空気）によりコンデンサから流出した作動空気（低温な乾空気）を加温する熱交換器を備えると好適である。
【００１８】
第二区画から流出した作動空気（湿空気）は、着脱フィルターを通過した加熱空気であるため高温状態である。この湿空気は、熱交換器で、低温なコンデンサから流出した作動空気（「乾空気」という。）により予め冷却されてからコンデンサへ導かれる。このため、その湿空気はコンデンサで露点まで十分に冷却される結果、十分な凝縮水が安定的に生成され得る。
【００１９】
逆に、低温な乾空気は、高温な湿空気により加温されてから電熱ヒータへ導かれる。このため、電熱ヒータによる消費電力を抑制しつつ、より高温な加熱空気を第二区画にある着脱フィルターへ流入させて水蒸気量の多い湿空気を得ることが可能となる。
【００２０】
（２）電源
本発明の造水装置は、着脱フィルターの移動、原料空気や作動空気の流動および作動空気の加熱を電力により行っている。この電源は、家庭等で容易に調達できる電源で十分である。電源は、電力会社から供給される商用電源でも良い。また、電源として、ソーラー発電および／または蓄電池を備えると、本発明の造水装置を、様々な地域や場所、種々の条件下で利用できるようになって好ましい。特に、商用電源を主電源、ソーラー発電および／または蓄電池を予備電源として兼備することが可能であると、造水装置を利用できる範囲が拡大して好ましい。
【００２１】
（３）コックとフィルター
本発明の造水装置で生じた凝縮水は、貯水タンクに貯められる。貯水タンク内の貯水量が一定以上となったとき、貯水タンクを交換したり、貯水タンク内の貯水を他の容器等へ移動させられるように、貯水タンクは着脱式であると好ましい。また、貯水タンクの貯水を、適宜、取水または止水できるコックを備えると、ユーザーは本発明の造水装置を水道源等としてそのまま使用できて好都合である。
【００２２】
本発明の造水装置により得られる凝縮水は、水蒸気から得られた精製水であるため、基本的に清浄である。造水装置が載置される雰囲気（本明細書では「大気」ともいう。）の環境が汚染されていない限り、貯水タンクの貯水をそのまま飲料水として使用することもできる。もっとも本発明の造水装置は、貯水タンクの貯水に含まれる菌または不純物を除去する浄水フィルターを備えると、より好ましい。これにより、様々な場所や環境でも、貯水タンクの貯水を飲料用として、より安全に利用できるようになる。
【００２３】
なお、浄水フィルターは市販されている汎用フィルターでもよいし、特定の菌または不純物を除去する専用フィルターでもよい。また浄水フィルターは、凝縮水が生成する下流側に配置されればよく、例えば、貯水タンク内でもよいし、コックの上流側または下流側でもよい。
【００２４】
（４）空気清浄フィルター
空気清浄フィルターは、造水装置が配設される周囲の空気中から、ゴミ、塵埃、粒子、細菌またはウイルス等を除去して、空気を清浄化する。空気清浄フィルターは、例えば、造水装置の内部や筐体の壁面等に配設される。空気清浄フィルターへの空気の取り込みは、それ専用のファンを利用してもよいが、本発明に係る第一電動ファンや第二電動ファンを兼用すれば、造水装置の簡素化・コンパクト化を図れて好ましい。
【００２５】
空気清浄フィルターは、着脱フィルターの上流側に配設されると好ましい。これにより造水装置内へ取り込まれる原料空気が浄化され、外界の空気清浄と併せて、凝縮水の浄化や造水装置の汚染対策等も行える。
【００２６】
空気清浄フィルターは、捕集物に応じた一種以上が選択される。例えば、サイズが比較的大きいゴミ、塵埃、花粉等を除去する粗目フィルター（プレフィルター）、ＰＭ２．５等の微粒子を除去する細目フィルター、細菌やウイルス等を除去（除菌、殺菌等）する微細フィルター等を適宜組合わせて用いてもよい。空気清浄フィルターを多層フィルターとすることにより、空気流の圧損を抑制しつつ、空気の浄化を効率的に行える。多層フィルターは、複数の個別なフィルターを重ねてもよいし、予め複層構造に成形されたフィルターを用いてもよい。
【００２７】
このようなフィルターは、例えば、ＪＩＳ（Ｚ８１２２）にも規定されており、ＨＥＰＡフィルター(High Efficiency Particulate Air Filter)やＵＬＰＡフィルター (Ultra Low Penetration Air Filter) 等がある。なお、除菌や殺菌の効果を高めるために、空気清浄フィルターの下流側等にオゾン発生器をさらに設けてもよい。
【実施例】
【００２８】
［造水装置］
本発明の一実施例（第一実施例）である造水装置１を図１〜図５に示した。図１は造水装置１の回路構成図であり、図２は造水装置１を前方から見た分解斜視図であり、図３は造水装置１に内蔵されている本体３０の分解斜視図であり、図４は本体３０を後方から見た分解斜視図であり、図５は、本体３０に内蔵されているフィルターケース３１を正面から観た概要図である。なお、図３と図４では、説明の便宜上、外側にある材部の一部を破断して内側にある部材を示した。【００２９】
《概要》
（１）構成
造水装置１は、図１からわかるように、着脱フィルター２へ吸着させる水蒸気の供給源となる原料空気の流路である原料流路Ｘ（第一流路）と、着脱フィルター２から水蒸気を脱着（放出）させて凝縮水を生成する生成流路Ｙ（第二流路）とを備える。【００３０】
着脱フィルター２は、円盤状のロータからなり、フィルターケース３１内に回転可能に収容されている。原料流路Ｘの原料空気は、電動の吸排気ファン３（第一電動ファン）により大気中から吸気され、フィルターケース３１の吸着開口部３８（第一区画）にある着脱フィルター２を通過した後、大気中へ排気される。生成流路Ｙの作動空気は、電動の循環ファン４（第二電動ファン）によりフィルターケース３１の脱着開口部３９（第二区画）にある着脱フィルター２の下流側から上流側へ帰還して閉循環している。【００３１】
生成流路Ｙには、脱着開口部３９の上流側（着脱フィルター２の通過前）の作動空気（乾空気）を加熱する電熱ヒータ５と、脱着開口部３９の下流側（着脱フィルター２の通過後）の作動空気（湿空気）を冷却して凝縮させるコンデンサ６とが配設されている。さらに生成流路Ｙには、脱着開口部３９とコンデンサ６の中間に、熱回収用の熱交換器７が配設されている。【００３２】
熱交換器７では、着脱フィルター２を通過した高温の作動空気（湿空気）が流れる生成流路Ｙの高温部９と、着脱フィルター２を通過する前の低温の作動空気（乾空気）が流れる生成流路Ｙの低温部８との間で熱交換がなされる。これにより、脱着開口部３９へ流入する作動空気（乾空気）は、電熱ヒータ５への導入前に予熱（加温）させる。この結果、電熱ヒータ５の消費電力を抑制しつつ、脱着開口部３９の着脱フィルター２を通過させる作動空気を効率的に昇温でき、ひいては省エネルギー化と造水性能の向上とを両立できる。【００３３】
（２）作動
着脱フィルター２は、フィルターケース３１内で、例えば３分間で１回転程度の緩やか速度で電動モータ（減速機を含む）により駆動され、連続的に回転している。吸排気ファン３によって造水装置１の原料流路Ｘへ吸い込まれた原料空気は、着脱フィルター２の所定回転領域に亘って開口する扇形状の吸着開口部３８へ導入される。これにより原料空気中の水蒸気がその開口領域内を回転している着脱フィルター２へ吸着され、着脱フィルター２を透過した原料空気は大気中へ排気される。【００３４】
水蒸気を吸着した着脱フィルター２は、吸着開口部３８に隣接して形成されている脱着開口部３９へ進入する。脱着開口部３９も着脱フィルター２の所定回転領域に亘って開口する扇形状をしている。循環ファン４によって生成流路Ｙを循環する作動空気は、熱交換器７および電熱ヒータ５で加熱されて、脱着開口部３９へ導入され、着脱フィルター２から水蒸気を脱着（発散または放出）させる。こうして水蒸気が脱着（再生）された着脱フィルター２は、再び吸着開口部３８へ進入して、上述したように原料空気中の水蒸気を吸着する。【００３５】
脱着開口部３９にある着脱フィルター２から脱着された水蒸気を含む作動空気（湿空気）は、熱交換器７で一次冷却された後に、コンデンサ６でさらに冷却されて凝縮水を生成する。この凝縮水はドレインパン３４（図２、図３参照）に滴下されて、貯水タンク２６に貯水される。コック２７の開閉により、その貯水の取水または止水が可能となっている。なお、コンデンサ６を通過した作動空気は、熱交換器７で予熱された後に電熱ヒータ５で加熱されて、再び、脱着開口部３９へ導入される。【００３６】
《詳細》
以下に、造水装置１の具体的な構造をより詳細に説明する。なお、後述する他の実施例（変形例）も含めて、既述した部材または構造と同様なものには、同一の符号を付して、その詳細な説明を省略する。また、図２〜５では、原料空気の流動経路（原料流路Ｘ）は中抜太矢印で、作動空気の流動経路（生成流路Ｙ）は実線の太矢印でそれぞれ示した。【００３７】
ちなみに、コンデンサ６と熱交換器７における原料空気と作動空気の流動方向は、向流でも並流でも直流でもよい。流動方向を向流とすることにより熱交換効率の向上を図れ、並流または直流とすることによりコンパクト化を図れる。図１では、説明の便宜上、それらの流動方向が向流となる場合を示したが、実際の流動方向は並流または直流とした。向流よりも並流とする方が、着脱フィルター２近傍における空気のリーク量を低減できるからである。【００３８】
（１）構造
造水装置１は、図２に示すように、フロントカバー２３１とケース２３２とトップカバー２３３からなる縦長横広の筐体２３内に、本体３０が収容されてなる。フロントカバー２３１の上方側には、造水装置１の電源スイッチとその作動状態を示すインジケータを有する操作盤２１が設けられている。ケース２３２の一方側面（図２中の左側面）には、内部へ大気中から原料空気を吸い込む吸気口２４が形成されている。トップカバー２３３の上面には、水蒸気を吸着した後の原料空気を排出する排気口２５が形成されている。排気口２５は、ケース２３２の内部上方に設けられたダクト２２により、後述する吸排気ファン収容室４９の排出口５１と連通している。筐体２３の下部には、前方へ引き出して取り外せる貯水タンク２６が収容されている。貯水タンク２６には、浄水フィルター２８とコック２７が設けられている。貯水タンク２６内の凝縮水は、浄水フィルター２８を通過した清浄な飲料水として、コック２７を通じて供給される。【００３９】
本体３０は、図２〜５に示すように、フィルターケース３１に収容された着脱フィルター２、ファンケーシング３２に収容された吸排気ファン３および循環ファン４、コンデンサ６、熱交換器７およびドレインパン３４を有する。【００４０】
着脱フィルター２は、回転軸方向に空気を挿通し得る円板状の基体（ハニカム、濾紙、不織布等）と、その表面や内部に担持させた吸着剤（ゼオライト、シリカゲル、塩化リチウム、塩化カルシウム等）と、その基体を収容するリング状の枠体とからなる。着脱フィルター２は、その枠体の回転軸がフィルターケース３１に枢支されており、減速機構（図略）を介してモータ３７により転駆動される。着脱フィルター２は、例えば、約３分間でほぼ１回転する程度の緩やかな速度で、前方から見て反時計回り回転する（図５参照）。【００４１】
フィルターケース３１は、ケース２３２の側面（吸気口２４側）に対向配置される平板部３５と、平板部３５の後面側で着脱フィルター２を回転自在に収容するフィルター収容部３６とを有する。またフィルターケース３１は、原料空気が通過する吸着開口部３８と、作動空気が通過する脱着開口部３９とを有する。吸着開口部３８と脱着開口部３９は、フィルターケース３１を前後方向（着脱フィルター２の回転軸方向）に貫通する扇形状の開口であり、着脱フィルター２の回転方向に関して隣接して配設されている。それらの開口領域に対応して、着脱フィルター２の前面２ａと後面２ｂの所定範囲がそれぞれ露出している。具体的にいうと、吸着開口部３８は、着脱フィルター２の約２／３の範囲（中心角で約２４０°）に亘って開口しており、脱着開口部３９は、着脱フィルター２の残り約１／３の範囲（中心角で約１２０°）に亘って開口している。【００４２】
熱交換器７は、低温部８と高温部９を有し、フィルターケース３１の上部にある熱交換器収容室４０に収容される。低温部８と高温部９は、対向する支持壁４１間を貫通して、所定間隔で横方向（略水平方向）に保持された複数の並設されたパイプ４２（仕切壁部）により構成されている。具体的にいうと、パイプ４２によって、脱着開口部３９へ流入する作動空気が通過する低温部８（パイプ４２内側）と、脱着開口部３９から流出する作動空気が通過する高温部９（パイプ４２外側）とが形成されている。なお、熱交換器収容室４０は、その上部が蓋体４３で閉塞されることにより、高温部９からコンデンサ６へ至る連通路の一部を形成している。【００４３】
電熱ヒータ５は、電源の供給を受けて発熱し、脱着開口部３９へ流入する作動空気を加熱する。電熱ヒータ５は、フィルターケース３１の前側に配設され、上流カバー部材４４内に収容される。なお、上流カバー部材４４は、フィルターケース３１の前側で、吸着開口部３８と脱着開口部３９の間を仕切ると共に熱交換器収容室４０の低温部８と脱着開口部３９の上流側との間を連通させている。【００４４】
コンデンサ６は、吸着開口部３８の前方に配設されており、対向する支持壁４５間を貫通して、所定間隔で上下方向（鉛直斜め方向）に保持された複数本の並設されたパイプ４６からなる。コンデンサ６の上部は、熱交換器収容室４０の高温部９に連通しており、脱着開口部３９の着脱フィルター２を通過して熱交換器７を経た作動空気（湿空気）がパイプ４６内側へ流入する。一方、パイプ４６外側は、大気中から吸い込まれた原料空気（吸着開口部３８の流入前の原料空気）が通過する。【００４５】
こうして作動空気（湿空気）はパイプ４６内を通過する際に低温な原料空気により冷却され、そこに含まれる水蒸気がパイプ４６内で凝縮水となる。ここでコンデンサ６のパイプ４６は、鉛直方向に対して若干傾斜した姿勢状態（例えば、約１５°の傾斜角）でフィルターケース３１に取り付けられている。このためパイプ４６内の凝縮水は、パイプ４６内に留まらずに流下する。【００４６】
パイプ４６内を流下する凝縮水は、コンデンサ６の下部に設けられたドレインパン３４で受けられる。ドレインパン３４は、溜まった凝縮水を貯水タンク２６に導くドレイン孔４７と、ドレインパン３４内に流入した作動空気（乾空気）を、熱交換器７のパイプ４２側へ導くダクト４８とを有する。なお、ドレイン孔４７は、その作動空気を通過させずに、凝縮水だけを貯水タンク２６に回収する機構を備える。【００４７】
フィルターケース３１の後側には、下流カバー部材５０とファンケーシング３２が配設されている。下流カバー部材５０は、吸着開口部３８と脱着開口部３９の間を仕切り、脱着開口部３９の下流側と熱交換器収容室４０の高温部９とを連通している。ファンケーシング３２は、フィルターケース３１と協働して、吸排気ファン３を収容する吸排気ファン収容室４９を形成している。吸排気ファン収容室４９は、着脱フィルター２を通過した原料空気を排出する排出口５１を上部に有し、排出口５１は筐体２３の排気口２５へ連通している。【００４８】
ファンケーシング３２の後面とファンカバー３３とにより循環ファン４を収容する循環ファン収容室５２が形成されている。循環ファン収容室５２の上部は、熱交換器収容室４０に連通している。循環ファン収容室５２の下部は、ドレインパン３４のダクト４８に連通している（図４参照）。なお、吸排気ファン３と循環ファン４はそれぞれファンケーシング３２の前側と後側に配設されていると共に、両者は同軸で連結されて一つの電動モータ（図示せず）により回転駆動される。【００４９】
（２）気流
先ず、吸排気ファン３の作動により、吸気口２４から筐体２３内へ原料空気が吸い込まれる。原料空気はコンデンサ６のパイプ４６の隙間を通過して、吸着開口部３８（第一区画）にある着脱フィルター２へ流入する。着脱フィルター２を通過した原料空気は、吸排気ファン収容室４９内へ流入し、その上部にある排出口５１から排気口２５を経て、大気中へ排気される。このような原料空気の経路により、各図中に中抜太矢印で示した原料流路Ｘ（図１参照）が形成される。【００５０】
次に、循環ファン４の作動により、循環ファン収容室５２内の作動空気は循環ファン収容室５２の上部から送り出されて、熱交換器収容室４０の低温部８（パイプ４２内側）を通過して、フィルターケース３１の後面側から前面側へ移動し、上流カバー部材４４内へ流入する。上流カバー部材４４内の作動空気は、電熱ヒータ５により加熱された後、脱着開口部３９（第二区画）にある着脱フィルター２の前面２ａ側から後面２ｂ側へ流動する。着脱フィルター２を通過した作動空気は、下流カバー部材５０内を上昇して、熱交換器収容室４０へ下方から流入し、熱交換器７の高温部９（パイプ４２外側）の長手方向に亘って通過する。その後、作動空気は高温部９の下流部９ｂから流出して、コンデンサ６のパイプ４６内へ流入し、パイプ４６の隙間を前側から後側へ通過する原料空気により冷却される。冷却された作動空気（乾空気）は、ダクト４８を通って再び循環ファン収容室５２に戻る。このような作動空気の経路により、各図中に実線の太矢印で示した生成流路Ｙ（図１参照）が形成される。【００５１】
（３）熱交換
造水装置１の場合、図５に示すように、脱着開口部３９にある着脱フィルター２を通過した作動空気は、着脱フィルター２に沿って熱交換器７の側面部７Ａから高温部９へ流入し、着脱フィルター２の外周側にあるパイプ４２間の隙間を流動した後、熱交換器７の長手方向の下流端面部７Ｂから流出する。【００５２】
ところで、着脱フィルター２は、高温部９内を流動する作動空気の流動方向と反対方向（図５に示す反時計回り）に回転している。このため脱着開口部３９において、着脱フィルター２の回転方向の前方に位置する先行領域Ｈを通過した作動空気は、側面部７Ａの上流部９ａ側へ流入する。一方、着脱フィルター２の回転方向の後方に位置する後行領域Ｃを通過した作動空気は、側面部７Ａの下流部９ｂ側へ流入して熱交換器７を短時間で通過する。【００５３】
ここで、先行領域Ｈは後行領域Ｃよりも、脱着開口部３９内における滞在時間が長く、蒸発量も少なく気化熱も奪われ難い。従って、先行領域Ｈは後行領域Ｃよりも高温となり、先行領域Ｈを通過する作動空気は、後行領域Ｃを通過する作動空気よりも温度が高い。【００５４】
従って、本実施例の造水装置１では、高温の作動空気は熱交換器７の通過時間が長く、低温の作動空気は熱交換器７の通過時間が短くなっており、熱交換器７の効率向上が図られている。この結果、電熱ヒータ５の通過前の作動空気は熱交換器７で効率的に加温され、電熱ヒータ５の消費電力を抑制しつつ、十分に高温な作動空気が脱着開口部３９にある着脱フィルター２へ導かれる。このため造水装置１は、消費電力を抑制しつつも、高い造水性能を発揮する。【００５５】
《変形例》
（１）造水装置１は、図６に示すように、脱着開口部３９の下流側にある下流カバー部材５０内に、整流板５３を設けてもよい。整流板５３は、着脱フィルター２の中心近傍から外周側を経て、高温部９の上流部９ａ付近まで弓状に湾曲した仕切りである。整流板５３により、下流カバー部材５０内は、先行領域Ｈ側と後行領域Ｃ側とに仕切られる。これにより、先行領域Ｈを通過した高温の作動空気は、熱交換器７の高温部９へ到達する前に、後行領域Ｃを通過した低温の作動空気と混合して温度が低下することが防止される。つまり、先行領域Ｈを通過した高温の作動空気のみが、高温部９の上流部９ａへ積極的に誘導され、上流部９ａへ確実に流入する。【００５６】
（２）着脱フィルター２は、上述したように、鉛直方向に配置する他、水平方向に配置されてもよい。また、コンデンサ６または熱交換器７は、直流型に限らず、向流型でも並流型でもよい。【００５７】
（３）造水装置１は、電源スイッチ（造水モード）をＯＦＦにした後に、カビの発生等を防止するために、内部を乾燥させる乾燥モードで運転を継続すると好ましい。乾燥モードは、例えば、電熱ヒータ５をＯＦＦ状態として、吸排気ファン３、循環ファン４およびモータ３７を所定の時間だけ作動させることにより行える。運転停止時、生成流路Ｙ（第二流路）内は原料流路Ｘ（第一流路）内よりも湿度が高くなっているが、上述の乾燥モードで運転することにより、生成流路Ｙ（第二流路）内の水蒸気は着脱フィルター２により吸収された後、原料流路Ｘ（第一流路）から放出される。【００５８】
この他、乾燥モードとして、ドレイン孔４７に開閉弁を設け、乾燥時にその弁を全面開放等してもよい。このとき、吸排気ファン３と循環ファン４を作動させるだけで、造水装置１外の空気がドレイン孔４７から生成流路Ｙ（第二流路）へ吸い込まれ、着脱フィルター２の周囲にある隙間を介して原料流路Ｘ（第一流路）から排出される。こうして生成流路Ｙ内は、その外部から吸い込まれた空気により乾燥される。この場合、ドレイン孔４７が大きいほど、乾燥モードを迅速に行える。但し、ドレイン孔４７が過大になると、造水時に装置外から装置内へ空気が流入し易くなる。そこで、開閉弁によってドレイン孔４７の開口具合を調整すると好ましい。例えば、造水時は水膜ができる程度にドレイン孔４７の開口を絞り、乾燥モード時にはドレイン孔４７の開口を全面開放できると好ましい。【００５９】
（４）造水装置１は、図７に示すように、ケース２３２の側面にある吸気口２４の内側に、空気清浄フィルターＦを設けてもよい。空気清浄フィルターＦは、造水装置１の周囲の空気から塵埃や花粉等を捕集する目の粗い第一清浄フィルターｆ１と、第一清浄フィルターｆ１を通過した空気からＰＭ２．５等の微細粒子を捕集する目の細かい第二清浄フィルターｆ２とが積層された多層フィルターである。第一清浄フィルターｆ１は、例えば、プレフィルター、脱臭フィルター等であり、第二清浄フィルターｆ２は、例えば、中性能フィルター、HEPAフィルター等である。【００６０】
空気清浄フィルターＦは、ケース２３２の内側に設けられた窓枠２４１内に収容される。空気清浄フィルターＦは、フロントカバー２３１側から出し入れできるようにしてもよいし、図７に示すようにケース２３２の外側から着脱できるようにしてもよい。いずれの場合でも、交換可能なカートリッジ状であると、メンテナンスが容易となり好ましい。【００６１】
このような空気清浄フィルターＦを造水装置１に設けることにより、原料流路Ｘには清浄な空気が供給されると共に、浄化された空気が排気口２５から造水装置１の外部へ放出される。その結果、生成される凝縮水や造水装置１内の汚染抑止と共に、造水装置１が設置される空間の空気清浄も併せて可能となる。【００６２】
《補足》
上述した実施例を踏まえて、本発明は次のようにも把握できる。
（１）着脱フィルターと、
該着脱フィルターを回転可能に収容すると共に、原料空気が通過する着脱フィルターの第一領域に対応して開口している吸着開口部と作動空気が通過する着脱フィルターの第二領域に対応して開口している脱着開口部とを有するフィルターケースと、
該脱着開口部を通過する前の作動空気が通過する低温部と該脱着開口部を通過した後の作動空気が通過する高温部とに仕切られた仕切壁部を有する熱交換器と、
該熱交換器の下流側にあり該脱着開口部を通過する前の作動空気を加熱する電熱ヒータと、
該熱交換器の上流側にあり該脱着開口部を通過した作動空気を原料空気により冷却して凝縮水を得るコンデンサと、
吸排気ファンによって外部から吸い込まれた原料空気が該吸着開口部を通過した後に再び外部へ排出される原料流路と、
循環ファンにより送気される作動空気が該低温部、該電熱ヒータ、該脱着開口部、該高温部の順序で流動する生成流路とを備え、
前記着脱フィルターの回転方向に沿って、前記脱着開口部の先行領域を通過した後の作動空気が前記高温部の上流部へ流入すると共に、該脱着開口部の後行領域を通過した後の作動空気が該高温部の下流部へ流入する造水装置。【００６３】
（２）さらに、前記先行領域を通過した作動空気を前記高温部の上流部に誘導し、前記後行領域を通過した作動空気を前記高温部の下流部へ誘導する整流板を、前記脱着開口部の下流側に設けた造水装置。【００６４】
（３）さらに、造水モードの終了後に前記乾燥モードを行う制御装置を備えた造水装置。【００６５】
［ウォーターサーバー］
造水装置１を水源としたウォーターサーバーＷＳの回路構成図を図８に示した。なお、ウォーターサーバーＷＳでは、造水装置１の貯水タンク２６に設けていたコック２７を後述する配管ｐに変更している。造水装置１の各構成部材については、既述した符号をそのまま付して、それらの説明は省略した。【００６６】
ウォーターサーバーＷＳは、造水装置１に加えて、冷水タンクｔｃと、温水タンクｔｈと、冷水タンクｔｃ内の水を冷却するクーラｃと、温水タンクｔｈ内の水を加熱するヒータｈと、冷水タンクｔｃから冷水を注水できる冷水コックｃｃと、温水タンクｔｈから温水を注水できる温水コックｃｈと、貯水タンク２６から冷水タンクｔｃおよび温水タンクｔｈへ導水する配管ｐを備える。【００６７】
クーラｃは冷水タンクｔｃの側面に貼着されたペルチェ素子等である。ヒータｈは温水タンクｔｈの側面に貼着された電熱バンド（バンドヒータ）、温水タンクｔｈに挿入された電熱金属棒、ペルチェ素子等のいずれかである。冷水コックｃｃと温水コックｃｈが本発明でいう注水器に相当し、クーラｃとヒータｈが本発明でいう水温調整器に相当する。
【符号の説明】
【００６８】
１    造水装置
２    着脱フィルター
３    吸排気ファン（第一電動ファン）
４    循環ファン（第二電動ファン）
５    電熱ヒータ
６    コンデンサ
７    熱交換器
８    低温部
９    高温部
２６  貯水タンク
２７  コック
３１  フィルターケース
３８  吸着開口部（第一区画）
３９  脱着開口部（第二区画）
Ｈ    先行領域
Ｃ    後行領域
Ｘ    原料流路（第一流路）
Ｙ    生成流路（第二流路）
【図１】
2018025770.tif 000003
【図２】
2018025770.tif 000004
【図３】
2018025770.tif 000005
【図４】
2018025770.tif 000006
【図５】
2018025770.tif 000007
【図６】
2018025770.tif 000008
【図７】
2018025770.tif 000009
【図８】
2018025770.tif 000010
【国際調査報告】
2018025770.tif 000011
2018025770.tif 000012
2018025770.tif 000013
2018025770.tif 000014
2018025770.tif 000015